(57)【要約】【課題】アクティブ方式の３Ｄ駆動時またはフィールドシーケンシャル駆動時においても、１画面の書き換えに要する時間を短縮しつつ、第１の領域と第２の領域の境界部分での輝度差を発生させない。【解決手段】第１の走査線駆動回路により、１水平走査期間ごとに、９番目から１番目の走査線の方向に、複数の走査線の一部を飛び越しつつ各走査線にアクティブな走査信号を供給し、第２の走査線駆動回路により、１水平走査期間ごとに、ｍ＋１番目から２ｍ番目の走査線の方向に、複数の走査線の一部を飛び越しつつ各走査線にアクティブな走査信号を供給する。そして、第１のデータ線駆動回路および第２のデータ線駆動回路により、第１の走査線駆動回路および第２の走査線駆動回路がアクティブな走査信号を供給するタイミングに同期して、１水平走査期間ごとに正極性電位と負極性電位とに極性が反転するデータ信号をデータ線に供給する。【選択図】図３
2015087688.tif 000002
【特許請求の範囲】
【請求項１】
第１の領域と第２の領域とを有する液晶表示パネルと、
前記第１の領域に配置される１番目からｍ番目の走査線と、
前記第２の領域に配置されるｍ＋１番目から２ｍ番目の走査線と、
前記第１の領域に配置される走査線と交差するｎ本のデータ線と、
前記第２の領域に配置される走査線と交差するｎ本のデータ線と、
前記第１の領域および第２の領域のそれぞれにおいて、前記走査線および前記データ線の交差に各々対応して設けられた画素と、
前記１番目からｍ番目の走査線を駆動する第１の走査線駆動回路と、
前記ｍ＋１番目から２ｍ番目の走査線を駆動する第２の走査線駆動回路と、
前記１番目からｍ番目の走査線に交差する前記データ線を駆動する第１のデータ線駆動回路と、
前記ｍ＋１番目から２ｍ番目の走査線に交差する前記データ線を駆動する第２のデータ線駆動回路と、を備え、
前記第１の走査線駆動回路は、１水平走査期間ごとに、前記１番目からｍ番目の走査線の方向、あるいは、前記ｍ番目から前記１番目の走査線の方向に、複数の前記走査線の一部を飛び越しつつ前記走査線のそれぞれにアクティブな走査信号を供給し、
前記第２の走査線駆動回路は、１水平走査期間ごとに、前記第１の走査線駆動回路による前記走査線への前記走査信号の供給方向とは逆方向である前記２ｍ番目からｍ＋１番目の走査線の方向、あるいは、前記ｍ＋１番目から前記２ｍ番目の走査線の方向に、複数の前記走査線の一部を飛び越しつつ前記走査線のそれぞれにアクティブな走査信号を供給し、
前記第１のデータ線駆動回路および前記第２のデータ線駆動回路は、前記第１の走査線駆動回路および前記第２の走査線駆動回路が前記アクティブな走査信号を供給するタイミングに同期して、１水平走査期間ごとに正極性電位と負極性電位とに極性が反転する前記データ信号を前記データ線に供給する、
ことを特徴とする液晶表示装置。
【請求項２】
前記第２の走査線駆動回路は、前記２ｍ番目からｍ＋１番目の走査線の方向、あるいは、前記ｍ＋１番目から前記２ｍ番目の走査線の方向に、複数の前記走査線の一部を飛び越しつつ前記走査線のそれぞれにアクティブな走査信号を供給するタイミングを、前記第１の走査線駆動回路が、前記１番目からｍ番目の走査線の方向、あるいは、前記ｍ番目から前記１番目の走査線の方向に、複数の前記走査線の一部を飛び越しつつ前記走査線のそれぞれにアクティブな走査信号を供給するタイミングから２水平走査期間だけ前または後ろに移動させる、
ことを特徴とする請求項１に記載の液晶表示装置。
【請求項３】
前記第１のデータ線駆動回路は、前記第１の領域において、１番目からｎ番目の前記データ線の順序で前記データ線を駆動し、
前記第２のデータ線駆動回路は、前記第２の領域において、前記第１の領域の前記１番目の前記データ線に対応する１番目の前記データ線から、前記第１の領域の前記ｎ番目の前記データ線に対応するｎ番目の前記データ線の順序で前記データ線を駆動し、
前記第１の領域と前記第２の領域とで対応する前記データ線には、同極性のデータ信号を供給する、
ことを特徴とする請求項１または請求項２に記載の液晶表示装置。
【請求項４】
第１の領域と第２の領域とを有する液晶表示パネルと、前記第１の領域に配置される１番目からｍ番目の走査線と、前記第２の領域に配置されるｍ＋１番目から２ｍ番目の走査線と、前記第１の領域に配置される走査線と交差するｎ本のデータ線と、前記第２の領域に配置される走査線と交差するｎ本のデータ線と、前記第１の領域および第２の領域のそれぞれにおいて、前記走査線および前記データ線の交差に各々対応して設けられた画素と、前記１番目からｍ番目の走査線を駆動する第１の走査線駆動回路と、前記ｍ＋１番目から２ｍ番目の走査線を駆動する第２の走査線駆動回路と、前記１番目からｍ番目の走査線に交差する前記データ線を駆動する第１のデータ線駆動回路と、前記ｍ＋１番目から２ｍ番目の走査線に交差する前記データ線を駆動する第２のデータ線駆動回路とを備える液晶表示装置の駆動方法であって、
前記第１の走査線駆動回路により、１水平走査期間ごとに、前記１番目からｍ番目の走査線の方向、あるいは、前記ｍ番目から前記１番目の走査線の方向に、複数の前記走査線の一部を飛び越しつつ前記走査線のそれぞれにアクティブな走査信号を供給し、
前記第２の走査線駆動回路により、１水平走査期間ごとに、前記第１の走査線駆動回路による前記走査線への前記走査信号の供給方向とは逆方向である前記２ｍ番目からｍ＋１番目の走査線の方向、あるいは、前記ｍ＋１番目から前記２ｍ番目の走査線の方向に、複数の前記走査線の一部を飛び越しつつ前記走査線のそれぞれにアクティブな走査信号を供給し、
前記第１のデータ線駆動回路および前記第２のデータ線駆動回路により、前記第１の走査線駆動回路および前記第２の走査線駆動回路が前記アクティブな走査信号を供給するタイミングに同期して、１水平走査期間ごとに正極性電位と負極性電位とに極性が反転する前記データ信号を前記データ線に供給する、
ことを特徴とする液晶表示装置の駆動方法。
【請求項５】
請求項１ないし請求項３のいずれか一に記載の液晶表示装置を備えることを特徴とする電子機器。
【発明の詳細な説明】
【技術分野】
【０００１】
本発明は、液晶表示装置、液晶表示装置の駆動方法および該液晶表示装置を備えて構成される例えば液晶プロジェクタ等の電子機器の技術分野に関する。
【背景技術】
【０００２】
高解像度および高精細な液晶表示パネルにおいては、走査線数が多くなり、走査方式によってはコントラストが低下する場合があるため、これを改善する様々な方法が提案されている。例えば、液晶表示パネルを上下２画面に分割し、かつ、２画面の継ぎ目部分が表示されるのを防止するために、第１の領域に配置された１番目ないしｍ番目の走査線に対して１水平走査期間ごとにアクティブの走査電圧を順次印加し、第ｍ番目の走査線へのアクティブの走査電圧の印加が終了した後に、第２の領域に配置されたｍ＋１番目ないしｍ＋１番目の走査線に対して１水平走査期間ごとにアクティブの走査電圧を順次印加する方法が提案されている（例えば、特許文献１）。
【先行技術文献】
【特許文献】
【０００３】
【特許文献１】特開２００８−７０４０６号公報
【発明の概要】
【発明が解決しようとする課題】
【０００４】
しかしながら、特許文献１の装置では、アクティブ方式の３Ｄ（立体表示）駆動時、あるいは、フィールドシーケンシャル駆動時に、１画面の書き換えに要する時間が、１水平走査期間に全走査線数を掛けた分だけかかるため、３Ｄ（立体表示）メガネのシャッターオープン時間、もしくは、ＲＧＢ光源の点灯時間を短くする必要があった。また、特許文献１の装置のように、第１の領域を上から下に向かって走査し、さらに第２の領域においても続いて上から下に向かって走査した場合には、領域ごとに上下輝度差が発生し、第１の領域と第２の領域の境界部分において輝度差が強調されるという現象が発生する。
【０００５】
本発明は、例えば上記問題点に鑑みてなされたものであり、アクティブ方式の３Ｄ（立体表示）駆動時、あるいは、フィールドシーケンシャル駆動時においても、１画面の書き換えに要する時間を短縮しつつ、第１の領域と第２の領域の境界部分における輝度差を発生させることのない液晶表示装置、液晶表示装置の駆動方法、および該液晶表示装置を備えた電子機器を提供することを課題とする。
【課題を解決するための手段】
【０００６】
上記課題を解決するために本発明の液晶表示装置の一態様は、第１の領域と第２の領域とを有する液晶表示パネルと、前記第１の領域に配置される１番目からｍ番目の走査線と、前記第２の領域に配置されるｍ＋１番目から２ｍ番目の走査線と、前記第１の領域に配置される走査線と交差するｎ本のデータ線と、前記第２の領域に配置される走査線と交差するｎ本のデータ線と、前記第１の領域および第２の領域のそれぞれにおいて、前記走査線および前記データ線の交差に各々対応して設けられた画素と、前記１番目からｍ番目の走査線を駆動する第１の走査線駆動回路と、前記ｍ＋１番目から２ｍ番目の走査線を駆動する第２の走査線駆動回路と、前記１番目からｍ番目の走査線に交差する前記データ線を駆動する第１のデータ線駆動回路と、前記ｍ＋１番目から２ｍ番目の走査線に交差する前記データ線を駆動する第２のデータ線駆動回路とを備え、前記第１の走査線駆動回路は、１水平走査期間ごとに、前記１番目からｍ番目の走査線の方向、あるいは、前記ｍ番目から前記１番目の走査線の方向に、複数の前記走査線の一部を飛び越しつつ前記走査線のそれぞれにアクティブな走査信号を供給し、前記第２の走査線駆動回路は、１水平走査期間ごとに、前記第１の走査線駆動回路による前記走査線への前記走査信号の供給方向とは逆方向である前記２ｍ番目からｍ＋１番目の走査線の方向、あるいは、前記ｍ＋１番目から前記２ｍ番目の走査線の方向に、複数の前記走査線の一部を飛び越しつつ前記走査線のそれぞれにアクティブな走査信号を供給し、前記第１のデータ線駆動回路および前記第２のデータ線駆動回路は、前記第１の走査線駆動回路および前記第２の走査線駆動回路が前記アクティブな走査信号を供給するタイミングに同期して、１水平走査期間ごとに正極性電位と負極性電位とに極性が反転する前記データ信号を前記データ線に供給することを特徴とする。
【０００７】
この態様によれば、第１の領域において、ｍ番目から１番目の走査線の方向に各走査線にアクティブな走査信号が供給された場合には、第２の領域においては、第１の領域とは逆方向に、ｍ＋１番目から２ｍ番目の走査線の方向に各走査線にアクティブな走査信号が供給される。また、第１の領域において、１番目からｍ番目の走査線の方向に各走査線にアクティブな走査信号が供給された場合には、第２の領域においては、第１の領域とは逆方向に、２ｍ番目からｍ＋１番目の走査線の方向に各走査線にアクティブな走査信号が供給される。このように、第１の領域と第２領域とで、走査方向を互いに逆方向とするので、第１の領域において１番目からｍ番目の走査線の方向に走査を行った後、第２の領域においてｍ＋１番目から２ｍ番目の走査線の方向に走査を行った場合に比べて、１画面の書き換えに要する時間を短縮することができる。さらに、第１の領域と第２領域における走査方向は、第１の領域と第２領域の境界部に近い走査線から遠い走査線の方向、あるいは、境界部から遠い走査線から近い走査線の方向なので、境界部における輝度差を抑制することができる。
【０００８】
また、この態様によれば、第１の領域と第２領域において、走査線の走査を行う際に、走査線の並びに従って順次に走査を行うのではなく、複数の走査線の一部を飛び越しつつ各走査線を走査すると共に、第１のデータ線駆動回路および第２のデータ線駆動回路は、走査のタイミングに同期して、１水平走査期間ごとに正極性電位と負極性電位とに極性が反転するデータ信号をデータ線に供給する。その結果、各走査線に対応する画素のスイッチング素子への電圧が極性の偏りに応じて大小どちらかに偏る期間を短くし、画素のスイッチング素子のリーク電流量を全体的に揃えることができ、上下輝度差そのものを抑えることができる。
【０００９】
上述した液晶表示装置の一態様において、前記第２の走査線駆動回路は、前記２ｍ番目からｍ＋１番目の走査線の方向、あるいは、前記ｍ＋１番目から前記２ｍ番目の走査線の方向に、複数の前記走査線の一部を飛び越しつつ前記走査線のそれぞれにアクティブな走査信号を供給するタイミングを、前記第１の走査線駆動回路が、前記１番目からｍ番目の走査線の方向、あるいは、前記ｍ番目から前記１番目の走査線の方向に、複数の前記走査線の一部を飛び越しつつ前記走査線のそれぞれにアクティブな走査信号を供給するタイミングから２水平走査期間だけ前または後ろに移動させるようにしてもよい。この態様によれば、第１の領域と第２の領域とで、走査の開始タイミングが２水平走査期間だけ移動するので、全ての走査線間だけでなく、第１の領域と第２の領域の境界部と走査線の間においても横電界が発生し、第１の領域と第２の領域からなる画面の全体において、横電界が同期間だけ発生することになるので、リバーツイストドメインの発生量が同程度となる。その結果、上側画素部３０Ｕと下側画素部３０Ｌとの境界部にのみリバーツイストドメインが発生しない場合に比べて、境界部が強調されることを防ぐことができる。
【００１０】
上述した液晶表示装置の一態様において、前記第１のデータ線駆動回路は、前記第１の領域において、１番目からｎ番目の前記データ線の順序で前記データ線を駆動し、前記第２のデータ線駆動回路は、前記第２の領域において、前記第１の領域の前記１番目の前記データ線に対応する１番目の前記データ線から、前記第１の領域の前記ｎ番目の前記データ線に対応するｎ番目の前記データ線の順序で前記データ線を駆動し、前記第１の領域と前記第２の領域とで対応する前記データ線には、同極性のデータ信号を供給するようにしてもよい。この態様によれば、第１の領域と第２の領域を合わせた画面全体におけるデータ線の各列における印加電圧の極性が揃うので、第１の領域と第２の領域とにおける走査開始タイミングを移動させることで横電界の発生位置および期間を調整することができる。
【００１１】
上記課題を解決するために本発明の液晶表示装置の駆動方法の一態様は、第１の領域と第２の領域とを有する液晶表示パネルと、前記第１の領域に配置される１番目からｍ番目の走査線と、前記第２の領域に配置されるｍ＋１番目から２ｍ番目の走査線と、前記第１の領域に配置される走査線と交差するｎ本のデータ線と、前記第２の領域に配置される走査線と交差するｎ本のデータ線と、前記第１の領域および第２の領域のそれぞれにおいて、前記走査線および前記データ線の交差に各々対応して設けられた画素と、前記１番目からｍ番目の走査線を駆動する第１の走査線駆動回路と、前記ｍ＋１番目から２ｍ番目の走査線を駆動する第２の走査線駆動回路と、前記１番目からｍ番目の走査線に交差する前記データ線を駆動する第１のデータ線駆動回路と、前記ｍ＋１番目から２ｍ番目の走査線に交差する前記データ線を駆動する第２のデータ線駆動回路とを備える液晶表示装置の駆動方法であって、前記第１の走査線駆動回路により、１水平走査期間ごとに、前記１番目からｍ番目の走査線の方向、あるいは、前記ｍ番目から前記１番目の走査線の方向に、複数の前記走査線の一部を飛び越しつつ前記走査線のそれぞれにアクティブな走査信号を供給し、前記第２の走査線駆動回路により、１水平走査期間ごとに、前記第１の走査線駆動回路による前記走査線への前記走査信号の供給方向とは逆方向である前記２ｍ番目からｍ＋１番目の走査線の方向、あるいは、前記ｍ＋１番目から前記２ｍ番目の走査線の方向に、複数の前記走査線の一部を飛び越しつつ前記走査線のそれぞれにアクティブな走査信号を供給し、前記第１のデータ線駆動回路および前記第２のデータ線駆動回路により、前記第１の走査線駆動回路および前記第２の走査線駆動回路が前記アクティブな走査信号を供給するタイミングに同期して、１水平走査期間ごとに正極性電位と負極性電位とに極性が反転する前記データ信号を前記データ線に供給することを特徴とする。
【００１２】
次に、本発明に係る電子機器は、上述した本発明に係る液晶表示装置を備える。そのような電子機器は、液晶ディスプレイ等の表示装置において、一画面の書き換えに要する時間を短縮することができるので、高解像度化等により、一画素当たりのデータ電圧の書き込み時間が短くなる場合に対応することができる。また、２分割した画面の境界部を強調することなく、かつ、上下輝度差を無くして画質を向上させることができる。
【図面の簡単な説明】
【００１３】
【図１】本発明の第１実施形態に係る液晶表示装置の構成を示すブロック図である。
【図２】画素の構成を示す回路図である。
【図３】時間の流れを追って画面上の極性の変化の状態を示す図である。
【図４】横電界の発生箇所を示す図である。
【図５】走査信号の選択タイミングおよびデータ信号の供給タイミングと極性を示すタイミングチャートである。
【図６】本発明の第２実施形態における時間の流れを追って画面上の極性の変化の状態を示す図である。
【図７】横電界の発生箇所を示す図である。
【図８】走査信号の選択タイミングおよびデータ信号の供給タイミングと極性を示すタイミングチャートである。
【図９】本発明の第３実施形態における時間の流れを追って画面上の極性の変化の状態を示す図である。
【図１０】横電界の発生箇所を示す図である。
【図１１】走査信号の選択タイミングおよびデータ信号の供給タイミングと極性を示すタイミングチャートである。
【図１２】本発明の第４実施形態における時間の流れを追って画面上の極性の変化の状態を示す図である。
【図１３】横電界の発生箇所を示す図である。
【図１４】走査信号の選択タイミングおよびデータ信号の供給タイミングと極性を示すタイミングチャートである。
【図１５】比較例における時間の流れを追って画面上の極性の変化の状態を示す図である。
【図１６】横電界の発生箇所を示す図である。
【図１７】上下輝度むらの発生状態を説明する図である。
【図１８】比較例における時間の流れを追って画面上の極性の変化の状態を示す図である。
【図１９】横電界の発生箇所を示す図である。
【図２０】電子機器の一例を示す説明図である。
【図２１】電子機器の他の例を示す説明図である。
【発明を実施するための形態】
【００１４】
＜第１実施形態＞
（液晶表示装置の構成）
図１は、本発明の第１実施形態に係る液晶表示装置１００のブロック図である。液晶表示装置１００は、電気光学パネル１２及び制御回路１４を具備する。電気光学パネル１２は、上下２画面に分割されており、上側画素部３０Ｕと下側画素部３０Ｌを備えている。また、電気光学パネル１２は、駆動回路４０を備えている。上側画素部３０Ｕと下側画素部３０Ｌには、複数の画素（画素回路）ＰIXが配列されており、駆動回路４０には、上側画素部３０Ｕの各画素ＰIXを駆動する上側データ線駆動回路４４Ｕと上側走査線駆動回路４２Ｕと、下側画素部３０Ｌの各画素ＰIXを駆動する下側データ線駆動回路４４Ｌと下側走査線駆動回路４２Ｌとを備えている。
【００１５】
上側画素部３０Ｕには、ｙ方向に延在する１番目からｍ番目までのｍ本の走査線３２と、ｙ方向に交差するｘ方向に延在するｎ本のデータ線３４ａが形成される（ｍ及びｎは自然数）。また、下側画素部３０Ｌには、ｙ方向に延在するｍ＋１番目から２ｍ番目までのｍ本の走査線３２と、ｙ方向に交差するｘ方向に延在するｎ本のデータ線３４ｂが形成される（ｍ及びｎは自然数）。１番目からｍ番目までの走査線３２は上側走査線駆動回路４２Ｕにより駆動され、また、ｍ＋１番目から２ｍ番目までの走査線３２は下側走査線駆動回路４２Ｌにより、１番目からｍ番目までの走査線３２とは独立して駆動される。
【００１６】
上側画素部３０Ｕ内の複数の画素ＰIXは、走査線３２とデータ線３４ａとの各交差に対応して縦ｍ行×横ｎ列の行列状に配列される。また、下側画素部３０Ｌ内の複数の画素ＰIXは、走査線３２とデータ線３４ｂとの各交差に対応して縦ｍ行×横ｎ列の行列状に配列される。
【００１７】
図２は、各画素ＰIXの回路図である。図２に示すように、各画素ＰIXは、液晶素子ＣLとスイッチング素子ＳWとを含む。液晶素子ＣLは、相互に対向する画素電極６２及び共通電極６４と両電極間の液晶６６とで構成された電気光学素子である。画素電極６２と共通電極６４との間の印加電圧に応じて液晶６６の透過率（表示階調）が変化する。スイッチング素子ＳWは、走査線３２にゲートが接続されたＮチャネル型の薄膜トランジスターで構成され、液晶素子ＣLとデータ線３４ａ，３４ｂとの間に介在して両者の電気的な接続（導通／絶縁）を制御する。なお、液晶素子ＣLに並列に補助容量を接続した構成も採用され得る。
【００１８】
制御回路１４は、液晶表示装置１００全体を制御し、入力画像データＤinに基づいて画像信号Ｘを生成し、駆動回路４０に供給に供給する。また、制御回路１４は、駆動回路４０に対して各種の制御信号ＣＴＬを供給する。
【００１９】
本実施形態では、いわゆる焼き付きを防止するために、液晶素子ＣLに印加する電圧の極性を所定周期で反転する極性反転駆動を採用する。本実施形態では、データ線３４ａ，３４ｂを介して画素ＰIXに供給する画像信号Ｓ１、Ｓ２のレベルを、基準電圧を中心として１水平走査期間ごとに反転するとともに単位期間ごとにさらに反転する。この例では、単位期間は１垂直走査期間となっている。但し、単位期間は任意に設定することができ、例えば、垂直走査期間の自然数倍であってもよい。
【００２０】
駆動回路４０のうち、上側データ線駆動回路４４Ｕは、上側画素部３０Ｕにおける各画素ＰIXの表示階調を制御する画像信号Ｓ１[１]〜Ｓ１[ｎ]を各画素ＰIXに供給する。また、下側データ線駆動回路４４Ｌは、下側画素部３０Ｌにおける各画素ＰIXの表示階調を制御する画像信号Ｓ２[１]〜Ｓ２[ｎ]を各画素ＰIXに供給する。駆動回路４０のうち、上側走査線駆動回路４２Ｕは、上側画素部３０Ｕにおける各走査線３２に対応する走査信号Ｇ[1]〜Ｇ[ｍ]の供給で各走査線３２を後述する順番で選択する。走査信号Ｇ[Ｍ]（Ｍ＝１〜ｍ）が所定の選択電位に設定される（すなわち第Ｍ行の走査線３２が選択される）ことで、第Ｍ行の各画素ＰIXにおけるスイッチング素子ＳWが同時にオン状態に遷移する。また、駆動回路４０のうち、下側走査線駆動回路４２Ｌは、下側画素部３０Ｌにおける各走査線３２に対応する走査信号Ｇ[ｍ＋1]〜Ｇ[２ｍ]の供給で各走査線３２を後述する順番で選択する。走査信号Ｇ[Ｎ]（Ｎ＝ｍ＋１〜２ｍ）が所定の選択電位に設定される（すなわち第Ｎ行の走査線３２が選択される）ことで、第Ｎ行の各画素ＰIXにおけるスイッチング素子ＳWが同時にオン状態に遷移する。
【００２１】
上側データ線駆動回路４４Ｕは、上側走査線駆動回路４２Ｕによる走査線３２の選択に同期してｎ本のデータ線３４ａの各々に画像信号Ｓ１[1]〜Ｓ１[n]を供給する。各画素ＰIX（液晶素子ＣL）は、走査線３２の選択時（スイッチング素子ＳWがオン状態に制御されたとき）にデータ線３４ａに供給されている画像信号Ｓ１[1]〜Ｓ１[n]の電位が液晶素子CLに保持され、その電位に応じた階調を表示する。下側データ線駆動回路４４Ｌは、下側走査線駆動回路４２Ｌによる走査線３２の選択に同期してｎ本のデータ線３４ｂの各々に画像信号Ｓ２[1]〜Ｓ２[n]を供給する。各画素ＰIX（液晶素子ＣL）は、走査線３２の選択時（スイッチング素子ＳWがオン状態に制御されたとき）にデータ線３４ｂに供給されている画像信号Ｓ２[1]〜Ｓ２[n]の電位が液晶素子CLに保持され、その電位に応じた階調を表示する。
【００２２】
（走査線の駆動方式）
次に、本実施形態の液晶表示装置１００における走査線の駆動方式について詳しく説明する。図３は、時間の流れを追って画面上の極性の変化の状態を示す図である。図３においてｘ方向の軸は時間を示しており、ｙ方向の軸は走査線３２の位置を示している。図３においては、説明を簡単にするために、上側画素部３０Ｕにおける走査線３２が上１〜上８の８本で、下側画素部３０Ｌにおける走査線３２が下１〜下８の８本の例について説明する。
【００２３】
図３において複数個表示されている矩形枠８０は、１水平走査期間（１Ｈ）において選択される走査線３２の位置を示している。つまり、矩形枠８０のｘ方向の幅は、１水平走査期間（１Ｈ）に対応している。矩形枠８０内に示される極性は、データ線に供給されるデータ信号の極性を示している。例えば、図３においてタイミングｔ０から始まる１水平走査期間（１Ｈ）は、上８の走査線３２、つまり、上側画素部３０Ｕにおける８番目の走査線３２が選択されると共に、下１の走査線３２、つまり、下側画素部３０Ｌにおける１番目の走査線３２が選択されることを示している。また、上８の走査線３２と下１の走査線３２が選択される際に、データ線３４ａ及びデータ線３４ｂに供給されるデータ信号の極性が正（＋）であることを示している。
【００２４】
図５は本実施形態の走査信号の選択タイミングおよびデータ信号の供給タイミングと極性を示すタイミングチャートである。図５において、上１〜上８の走査線３２に供給される走査信号はＧＵ[1]〜ＧＵ[8]で示している。また、下１〜下８の走査線３２に供給される走査信号はＧＬ[1]〜ＧＬ[8]で示している。図５において、上１〜上８の走査線３２に交差するデータ線３４ａに供給されるデータ信号は、Ｓ１[1]〜Ｓ１[n]で示している。また、下１〜下８の走査線３２に交差するデータ線３４ｂに供給されるデータ信号は、Ｓ２[1]〜Ｓ２[n]で示している。データ信号Ｓ１[1]〜Ｓ１[n]およびデータ信号Ｓ２[1]〜Ｓ２[n]の極性は、１水平走査期間ごとに、０Ｖ〜＋５Ｖの電圧値を有する正極性と、−５Ｖ〜０Ｖの電圧値を有する負極性とに切り替えられる。
【００２５】
図５に示すように、上側走査線信号駆動回路４２Ｕは、制御回路１４から出力される水平同期信号Ｈｓに同期してＹクロック信号ＣＬＹを生成する。そして、上側走査線信号駆動回路４２Ｕは、制御回路１４から出力される１フレーム（１Ｆ）周期のＹ転送開始パルスＤＹに同期して、１水平走査期間ごとに上側画素部３０Ｕにおける上側の走査線３２を選択する。本実施形態では、上側の走査線３２を、上側画素部３０Ｕと下側画素部３０Ｌとの境界部に最も近い上８の走査線３２から、境界部から最も遠い上１の走査線３２の方向に向かって、選択する。但し、走査線３２の並び順に選択するのではなく、上８、上３、上７、上２、上６、上１、上５のように、１水平走査期間ごとに、走査線５本分上の走査線と、走査線４本分下の走査線を交互に選択するようになっている。
【００２６】
図５に示すように、下側走査線信号駆動回路４２Ｌは、制御回路１４から出力される水平同期信号Ｈｓに同期してＹクロック信号ＣＬＹを生成する。そして、下側走査線信号駆動回路４２Ｌは、制御回路１４から出力される１フレーム（１Ｆ）周期のＹ転送開始パルスＤＹに同期して、１水平走査期間ごとに下側画素部３０Ｌにおける下側の走査線３２を選択する。本実施形態では、下側の走査線３２を、上側の走査線３２とは逆に、上側画素部３０Ｕと下側画素部３０Ｌとの境界部に最も近い下１の走査線３２から、境界部から最も遠い下８の走査線３２の方向に向かって、選択する。但し、走査線３２の並び順に選択するのではなく、下１、下６、下２、下７、下３、下８、下４のように、１水平走査期間ごとに、走査線５本分下の走査線と、走査線４本分上の走査線を交互に選択するようになっている。
【００２７】
以上のように、本実施形態においては、上側画素部３０Ｕにおいては境界部に近い走査線から遠い走査線の方向、つまり上方向に向かって走査線を選択し、下側画素部３０Ｌにおいては境界部に近い走査線から遠い走査線の方向、つまり下方向に向かって走査線を選択し、選択の順序は、１水平走査期間ごとに、上側画素部３０Ｕにおいては、走査線５本分上の走査線と、走査線４本分下の走査線を交互に、下側画素部３０Ｌにおいては、走査線５本分下の走査線と、走査線４本分上の走査線を交互に選択する。しかも、各走査線に交差するデータ線３４ａ、３４ｂに供給するデータ信号の極性は、１水平走査期間ごとに、正極性と負極性を交互に切り替える。つまり、本実施形態においては、画面を２分割した上で、いわゆる領域走査と呼ばれる走査を行っている。
【００２８】
本実施形態のように、上側画素部３０Ｕと下側画素部３０Ｌとに分けて走査を行うことにより、１画面の書き換えに必要時間は、１水平走査期間（１Ｈ）の８倍の８Ｈで済むことになる。これに対して、図１５に示す比較例のように、上１の走査線３２から下８の走査線３２まで順次に選択する場合には、入力１フィールド分のデータを全画面書き換えるのに必要な時間は、１水平走査期間（１Ｈ）の１６倍の１６Ｈが必要となる。したがって、本実施形態においては、図１５に示す比較例に比べて倍の速度で１画面を書き換えることができ、アクティブ方式の３Ｄ（立体視）駆動時における３Ｄメガネのシャッターオープン時間、あるいは、フィールドシーケンシャル駆動時のＲＧＢ光源の点灯時間を長く確保することができる。
【００２９】
また、図１５に示す比較例のように、上側画素部における上１の走査線３２から上８の走査線３２までを走査した後に、下側画素部における下１の走査線３２から下８の走査線３２までを走査する場合には、図１７に示すように、上側画素部および下側画素部のそれぞれにおいて上下輝度むらが発生してしまう。比較例の駆動の場合、後述する隣接画素間の横電界によるリバーツイストドメイン回避のために前述の単位期間の極性反転しか行われない。これは、下側の走査線に対応する画素ほど、極性反転タイミングから極性反転に応じた電圧が書き込まれるまでに時間が掛かるため、前回に書き込まれて画素において保持されている電圧極性と、データ線に印加される電圧極性が異なることで画素のスイッチング素子の両端の電位差が大きくなる期間が長くなることとなり、リーク電流が増加するためである。例えば、ノーマリーブラックの液晶の場合には、図１７に示すように、上側画素部および下側画素部のそれぞれにおいて、上側の領域よりも下側の領域の方が輝度の低下が大きく、暗い色になってしまう。したがって、境界部においては、上側画素部の下側の領域では暗い色になり、下側画素部の上側の領域では明るい色になるので、境界部における輝度差が強調されてしまう。
【００３０】
しかしなから、本実施形態においては、上側画素部３０Ｕにおいては、境界部に近い走査線から、境界部から遠い走査線に向う方向で走査を行い、下側画素部３０Ｌにおいても、境界部に近い走査線から、境界部から遠い走査線に向う方向で走査を行い、上側画素部３０Ｕにおける走査方向と、下側画素部３０Ｌにおける走査方向とを逆方向にしたので、上側画素部３０Ｕと下側画素部３０Ｌの境界部における輝度差を抑制することが可能になっている。
【００３１】
上側画素部３０Ｕにおける走査方向と、下側画素部３０Ｌにおける走査方向とを逆方向にする場合でも、図１８に示すように、走査線の選択順序が走査線の並び順の場合には、上側画素部および下側画素部のそれぞれにおいて、データ線が同一の極性となる期間が長くなってしまう。これに対し、本実施形態の場合には、上側画素部および下側画素部のそれぞれにおいて上述した領域走査を行うため、データ線が同一の極性となる期間を短くし、かつ、上側画素部および下側画素部のそれぞれにおいて極性の切り替えを平均的に行うことができる。その結果、上側画素部および下側画素部のそれぞれにおいて、画素のスイッチング素子のリーク電流量を全体的に揃えることができ、上下輝度差そのものを抑えることができる。
【００３２】
なお、本実施形態のような液晶表示パネルの場合には、隣合う画素電極の電位が異なると、画素電極間に横電界が形成され、かつ、画素間距離が狭くなると、この横電界が液晶層の配向に与える影響が大きくなり、表示上の不具合が生じる。具体的には、画素電極間に形成される横電界と画素電極を覆って形成される水平配向膜の配向規制方向が平行となっている場合に、上記横電界によって、液晶分子が本来のツイスト方向と逆方向にツイストするリバーツイストドメインが画素電極上において発生し、単一の画素電極上の液晶分子の配列に乱れが生じ、白表示の画素部にディスクリネーションが発生する。
【００３３】
図４において、複数の太線で示す箇所が、横電界の発生箇所を示している。図４に示すように、本実施形態の場合には、全走査線間に同期間だけ横電界が発生するため、リバーツイストドメインの発生量が画面全体においてほぼ揃うことになる。但し、上側画素部３０Ｕと下側画素部３０Ｌの境界部においては横電界が発生しないため、他の部分との差が生じることになる。
【００３４】
なお、図１９は、図１８の比較例における横電界の発生箇所を示している。図１９に示すように、比較例の場合も、全走査線間に同期間だけ横電界が発生するため、リバーツイストドメインの発生量が画面全体においてほぼ揃うことになる。この比較例の場合も、上側画素部と下側画素部の境界部においては横電界が発生しないため、他の部分との差が生じることになる。一方、図１６は、図１５に示す比較例における横電界の発生箇所を示している。図１６に示すように、比較例の場合も、全走査線間に同期間だけ横電界が発生するだけでなく、上側画素部と下側画素部の境界部においても横電界が発生するため、リバーツイストドメインの発生量が画面全体において揃うことになり、境界部が強調させることがない。
【００３５】
＜第２実施形態＞
次に、本発明の第２実施形態について図６ないし図８を参照して説明する。本実施形態の液晶表示装置１００は、第１実施形態の液晶表示装置１００とほぼ同様の構成であるが、上側画素部３０Ｕと下側画素部３０Ｌにおける走査方向が第１実施形態と異なる。
【００３６】
図６は、本実施形態における、時間の流れを追って画面上の極性の変化の状態を示す図である。図８は本実施形態の走査信号の選択タイミングおよびデータ信号の供給タイミングと極性を示すタイミングチャートである。図６および図８に示すように、本実施形態においては、図６においてタイミングｔ０から始まる８水平走査期間（８Ｈ）は、上側画素部３０Ｕにおいては、走査線３２を、上側画素部３０Ｕと下側画素部３０Ｌとの境界部から遠い方の上５の走査線３２から、境界部に最も近い上８の走査線３２の方向に向かって、選択する。但し、本実施形態においても、走査線３２の並び順に選択するのではなく、上５、上１、上６、上２、上７、上３、上８のように、１水平走査期間ごとに、走査線４本分上の走査線と、走査線５本分下の走査線を交互に選択するようになっている。
【００３７】
同様に、下側画素部３０Ｌにおいては、走査線３２を、上側画素部３０Ｕの走査線３２とは逆に、上側画素部３０Ｕと下側画素部３０Ｌとの境界部から遠い方の下４の走査線３２から、境界部に最も近い下１の走査線３２の方向に向かって、選択する。但し、走査線３２の並び順に選択するのではなく、下４、下８、下３、下７、下２、下６、下１のように、１水平走査期間ごとに、走査線４本分下の走査線と、走査線５本分上の走査線を交互に選択するようになっている。
【００３８】
本実施形態においては、上側画素部３０Ｕにおいては境界部から遠い走査線から近い走査線の方向、つまり下方向に向かって走査線を選択し、下側画素部３０Ｌにおいては境界部から遠い走査線から近い走査線の方向、つまり上方向に向かって走査線を選択し、選択の順序は、１水平走査期間ごとに、上側画素部３０Ｕにおいては、走査線４本分上の走査線と、走査線５本分下の走査線を交互に、下側画素部３０Ｌにおいては、走査線４本分下の走査線と、走査線５本分上の走査線を交互に選択する。しかも、各走査線に交差するデータ線３４ａ、３４ｂに供給するデータ信号の極性は、１水平走査期間ごとに、正極性と負極性を交互に切り替える。つまり、本実施形態においては、画面を２分割した上で、いわゆる領域走査と呼ばれる走査を行っている。
【００３９】
本実施形態においても、上側画素部３０Ｕと下側画素部３０Ｌとに分けて走査を行うことにより、１画面の書き換えに必要時間は、１水平走査期間（１Ｈ）の８倍の８Ｈで済むことになり、図１５に示す比較例に比べて倍の速度で１画面を書き換えることができる。したがって、アクティブ方式の３Ｄ（立体視）駆動時における３Ｄメガネのシャッターオープン時間、あるいは、フィールドシーケンシャル駆動時のＲＧＢ光源の点灯時間を長く確保することができる。
【００４０】
また、本実施形態においても、上側画素部３０Ｕでは、境界部に遠い走査線から、境界部に近い走査線に向う方向で走査を行い、下側画素部３０Ｌにおいても、境界部に遠い走査線から、境界部に近い走査線に向う方向で走査を行い、上側画素部３０Ｕにおける走査方向と、下側画素部３０Ｌにおける走査方向とを逆方向にしたので、上側画素部３０Ｕと下側画素部３０Ｌの境界部における輝度差を抑制することが可能になっている。
【００４１】
本実施形態の場合には、第１実施形態と同様に、上側画素部および下側画素部のそれぞれにおいて上述した領域走査を行うため、データ線が同一の極性となる期間を短くし、かつ、上側画素部および下側画素部のそれぞれにおいて極性の切り替えを平均的に行うことができる。その結果、上側画素部および下側画素部のそれぞれにおいて、画素のスイッチング素子のリーク電流量を全体的に揃えることができ、上下輝度差そのものを抑えることができる。
【００４２】
図７において、複数の太線で示す箇所が、本実施形態において横電界の発生箇所を示している。図７に示すように、本実施形態の場合には、全走査線間に同期間だけ横電界が発生するため、リバーツイストドメインの発生量を画面全体でほぼ揃えることができる。但し、上側画素部３０Ｕと下側画素部３０Ｌの境界部においては横電界が発生しないため、他の部分との差が生じることになる。
【００４３】
＜第３実施形態＞
次に、本発明の第３実施形態について図９ないし図１１を参照して説明する。本実施形態の液晶表示装置１００は、第１実施形態の液晶表示装置１００とほぼ同様の構成であるが、上側画素部３０Ｕにおける走査開始タイミングと、下側画素部３０Ｌにおける走査開始タイミングを２水平走査期間分ずらすところが第１実施形態と異なる。
【００４４】
図９は、本実施形態における、時間の流れを追って画面上の極性の変化の状態を示す図である。図１１は本実施形態の走査信号の選択タイミングおよびデータ信号の供給タイミングと極性を示すタイミングチャートである。図９および図１１に示すように、本実施形態においては、図９においてタイミングｔ０から始まる１水平走査期間（１Ｈ）は、第１実施形態と同様に、上側画素部３０Ｕにおいて、走査線３２を、上側画素部３０Ｕと下側画素部３０Ｌとの境界部から最も近い上８の走査線３２から、境界部から最も遠い上１の走査線３２の方向に向かって、選択する。但し、本実施形態においても、走査線３２の並び順に選択するのではなく、上８、上３、上７、上２、上６、上１、上５のように、１水平走査期間ごとに、走査線５本分上の走査線と、走査線４本分下の走査線を交互に選択するようになっている。
【００４５】
一方、下側画素部３０Ｌにおいては、図９に示すタイミングｔ０から走査を開始するのではなく、タイミングｔ０から１水平走査期間（１Ｈ）ずらしたタイミングｔ１から走査を開始する。つまり、タイミングｔ１からの１水平走査期間（１Ｈ）は、走査線３２を、上側画素部３０Ｕと下側画素部３０Ｌとの境界部から最も近い下１の走査線３２から、境界部から最も遠い下８の走査線３２の方向に向かって、選択する。但し、走査線３２の並び順に選択するのではなく、下５、下１、下６、下２、下７、下３、下８のように、１水平走査期間ごとに、走査線４本分上の走査線と、走査線５本分下の走査線とを交互に選択するようになっている。
【００４６】
図１０において、複数の太線で示す箇所が、本実施形態において横電界の発生箇所を示している。本実施形態の場合には、全走査線間に同期間だけ横電界が発生するだけでなく、図１０に点線の楕円で囲んだ箇所に示すように、上側画素部３０Ｕと下側画素部３０Ｌの境界部においても横電界が発生する。その結果、上側画素部３０Ｕおよび下側画素部３０Ｌだけでなく、上側画素部３０Ｕと下側画素部３０Ｌの境界部においても、横電界が発生するので、画面全体においてリバーツイストドメインの発生量が揃うことになる。その結果、上側画素部３０Ｕと下側画素部３０Ｌとの境界部が強調されることがない。
【００４７】
なお、本実施形態においても、上側画素部３０Ｕにおいては境界部に近い走査線から遠い走査線の方向、つまり上方向に向かって走査線を選択し、下側画素部３０Ｌにおいては境界部に近い走査線から遠い走査線の方向、つまり下方向に向かって走査線を選択する。そして、選択の順序は、１水平走査期間ごとに、上側画素部３０Ｕにおいては、走査線５本分上の走査線と、走査線４本分下の走査線を交互に、下側画素部３０Ｌにおいては、走査線５本分下の走査線と、走査線４本分上の走査線を交互に選択する。しかも、各走査線に交差するデータ線３４ａ、３４ｂに供給するデータ信号の極性は、１水平走査期間ごとに、正極性と負極性を交互に切り替える。つまり、本実施形態においては、画面を２分割した上で、いわゆる領域走査と呼ばれる走査を行っている。
【００４８】
本実施形態においても、上側画素部３０Ｕと下側画素部３０Ｌとに分けて走査を行うことにより、１画面の書き換えに必要時間は、１水平走査期間（１Ｈ）の８倍の８Ｈで済むことになり、図１５に示す比較例に比べて倍の速度で１画面を書き換えることができる。したがって、アクティブ方式の３Ｄ（立体視）駆動時における３Ｄメガネのシャッターオープン時間、あるいは、フィールドシーケンシャル駆動時のＲＧＢ光源の点灯時間を長く確保することができる。
【００４９】
また、本実施形態においては、上側画素部３０Ｕでは、境界部に近い走査線から、境界部から遠い走査線に向う方向で走査を行い、下側画素部３０Ｌにおいても、境界部に近い走査線から、境界部から遠い走査線に向う方向で走査を行い、上側画素部３０Ｕにおける走査方向と、下側画素部３０Ｌにおける走査方向とを逆方向にしたので、上側画素部３０Ｕと下側画素部３０Ｌの境界部における輝度差を抑制することが可能になっている。
【００５０】
本実施形態の場合には、第１実施形態と同様に、上側画素部および下側画素部のそれぞれにおいて上述した領域走査を行うため、各走査線に対応する画素が同一の極性を保持する期間を短くし、かつ、上側画素部および下側画素部のそれぞれにおいて極性の切り替えを平均的に行うことができる。その結果、上側画素部および下側画素部のそれぞれにおいて、画素のスイッチング素子のリーク電流量を全体的に揃えることができ、上下輝度差そのものを抑えることができる。
【００５１】
以上のように本実施形態によれば、第１実施形態と同様に、１画面の書き換えに要する時間を短縮し、かつ、領域走査により上下輝度差そのものを抑えることができるだけでなく、下側画素部３０Ｌにおける走査開始タイミングをずらすことにより、上側画素部３０Ｕおよび下側画素部３０Ｌだけでなく、上側画素部３０Ｕと下側画素部３０Ｌの境界部においても、横電界が発生するので、画面全体においてリバーツイストドメインは殆ど目立たない。その結果、上側画素部３０Ｕと下側画素部３０Ｌとの境界部分が強調されることを防ぐことができる。
【００５２】
＜第４実施形態＞
次に、本発明の第４実施形態について図１２ないし図１４を参照して説明する。本実施形態の液晶表示装置１００は、第３実施形態の液晶表示装置１００とほぼ同様の構成であるが、上側画素部３０Ｕおよび下側画素部３０Ｌにおける走査方向が第３実施形態と異なる。
【００５３】
図１２は、本実施形態における、時間の流れを追って画面上の極性の変化の状態を示す図である。図１４は本実施形態の走査信号の選択タイミングおよびデータ信号の供給タイミングと極性を示すタイミングチャートである。図１２および図１４に示すように、本実施形態においては、図１４においてタイミングｔ０から始まる８水平走査期間（８Ｈ）は、タイミングｔ０から１水平走査期間（１Ｈ）だけ後方にずらしたタイミングｔ１から走査を開始する。第２実施形態と同様に、上側画素部３０Ｕにおいて、走査線３２を、上側画素部３０Ｕと下側画素部３０Ｌとの境界部から遠い方の上５の走査線３２から、境界部に最も近い上８の走査線３２の方向に向かって、選択する。但し、本実施形態においても、走査線３２の並び順に選択するのではなく、上５、上１、上６、上２、上７、上３、上８のように、１水平走査期間ごとに、走査線４本分上の走査線と、走査線５本分下の走査線を交互に選択するようになっている。
【００５４】
一方、下側画素部３０Ｌにおいては、上５の走査線３２に対応する下５の走査線３２の走査を、図１２に示すタイミングｔ０から開始する。つまり、タイミングｔ０から、走査線３２を、上側画素部３０Ｕと下側画素部３０Ｌとの境界部から最も遠い方の下８の走査線３２から、境界部に最も近い下１の走査線３２の方向に向かって、選択する。但し、走査線３２の並び順に選択するのではなく、下８、下３、下７、下２、下６、下７、下２、下６、下１、下４のように、１水平走査期間ごとに、走査線４本分下の走査線と、走査線５本分上の走査線を交互に選択するようになっている。
【００５５】
図１３において、複数の太線で示す箇所が、本実施形態において横電界の発生箇所を示している。本実施形態の場合も、全走査線間に同期間だけ横電界が発生するだけでなく、図１３に点線の楕円で囲んだ箇所に示すように、上側画素部３０Ｕと下側画素部３０Ｌの境界部においても横電界が発生する。その結果、上側画素部３０Ｕおよび下側画素部３０Ｌだけでなく、上側画素部３０Ｕと下側画素部３０Ｌの境界部においても、横電界が発生するので、画面全体においてリバーツイストドメインの発生量が揃うことになる。その結果、上側画素部３０Ｕと下側画素部３０Ｌとの境界部が強調されることがない。
【００５６】
なお、本実施形態においても、上側画素部３０Ｕにおいては境界部に近い走査線から遠い走査線の方向、つまり上方向に向かって走査線を選択し、下側画素部３０Ｌにおいては境界部に近い走査線から遠い走査線の方向、つまり下方向に向かって走査線を選択する。そして、選択の順序は、１水平走査期間ごとに、上側画素部３０Ｕにおいては、走査線５本分上の走査線と、走査線４本分下の走査線を交互に、下側画素部３０Ｌにおいては、走査線５本分下の走査線と、走査線４本分上の走査線を交互に選択する。しかも、各走査線に交差するデータ線３４ａ、３４ｂに供給するデータ信号の極性は、１水平走査期間ごとに、正極性と負極性を交互に切り替える。つまり、本実施形態においては、画面を２分割した上で、いわゆる領域走査と呼ばれる走査を行っている。
【００５７】
本実施形態においても、上側画素部３０Ｕと下側画素部３０Ｌとに分けて走査を行うことにより、１画面の書き換えに必要時間は、１水平走査期間（１Ｈ）の８倍の８Ｈで済むことになり、図１５に示す比較例に比べて倍の速度で１画面を書き換えることができる。したがって、アクティブ方式の３Ｄ（立体視）駆動時における３Ｄメガネのシャッターオープン時間、あるいは、フィールドシーケンシャル駆動時のＲＧＢ光源の点灯時間を長く確保することができる。
【００５８】
また、本実施形態においては、上側画素部３０Ｕでは、境界部に遠い走査線から、境界部に近い走査線に向う方向で走査を行い、下側画素部３０Ｌにおいても、境界部に遠い走査線から、境界部に近い走査線に向う方向で走査を行い、上側画素部３０Ｕにおける走査方向と、下側画素部３０Ｌにおける走査方向とを逆方向にしたので、上側画素部３０Ｕと下側画素部３０Ｌの境界部における輝度差を抑制することが可能になっている。
【００５９】
本実施形態の場合には、第３実施形態と同様に、上側画素部および下側画素部のそれぞれにおいて上述した領域走査を行うため、データ線が同一の極性となる期間を短くし、かつ、上側画素部および下側画素部のそれぞれにおいて極性の切り替えを平均的に行うことができる。その結果、上側画素部および下側画素部のそれぞれにおいて、画素のスイッチング素子のリーク電流量を全体的に揃えることができ、上下輝度差そのものを抑えることができる。
【００６０】
以上のように本実施形態によれば、第３実施形態と同様に、１画面の書き換えに要する時間を短縮し、かつ、領域走査により上下輝度差そのものを抑えることができるだけでなく、下側画素部３０Ｌにおける走査開始タイミングをずらすことにより、上側画素部３０Ｕおよび下側画素部３０Ｌだけでなく、上側画素部３０Ｕと下側画素部３０Ｌの境界部においても、横電界が発生するので、画面全体においてリバーツイストドメインの発生量が同程度となる。その結果、上側画素部３０Ｕと下側画素部３０Ｌとの境界部にのみリバーツイストドメインが発生しない場合に比べて、境界部が強調されることを防ぐことができる。
【００６１】
＜変形例＞
本発明は、上述した各実施形態に限定されるものではなく、例えば、以下に述べる各種の変形が可能である。また、各実施形態及び各変形例を適宜組み合わせてもよいことは勿論である。
【００６２】
（１）上述した各実施形態においては、走査線の駆動方式として、図５、図８、図１１、あるいは、図１４のタイミングチャートにより示される駆動方式を例として説明したが、本発明はこれらの駆動方式に限定されるものではない。１画面の書き込みに要する時間を短縮することができ、かつ、上下輝度差を抑制し、上側画素部３０Ｕと下側画素部３０Ｌとの境界部分が強調されることを防ぐことができれば、これら以外の駆動方式でも適宜採用し得る。
【００６３】
（２）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElectroLuminescent）、無機ＥＬや発光ポリマーなどの発光素子を用いた表示パネルや、着色された液体と当該液体に分散された白色の粒子とを含むマイクロカプセルを電気光学材料として用いた電気泳動表示パネル、極性が相違する領域ごとに異なる色に塗り分けられたツイストボールを電気光学材料として用いたツイストボールディスプレイパネル、黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【００６４】
＜応用例＞
この発明は、各種の電子機器に利用され得る。図２０および図２１は、この発明の適用対象となる電子機器の具体的な形態を例示するものである。
【００６５】
図２０は、本発明の液晶表示装置を用いたプロジェクターの外観構成の一例を示す図である。この図に示されるように、プロジェクター２１００は据え置き型であり、その正面に、映像を投射するための投射レンズ２１１４が設けられ、その天板に、電源の投入／遮断を指示するプッシュオン型のスイッチ３８が設けられている。
【００６６】
図２１は、プロジェクター２１００の光学的構成の一例を示す平面図である。この図に示されるように、プロジェクター２１００は、透過型の液晶ライトバルブ１００Ｒ、１００Ｇ、１００Ｂを用いた、いわゆる３板式である。液晶ライトバルブ１００Ｒ、１００Ｇ、１００Ｂには、本発明の液晶表示装置１００が用いられる。
【００６７】
プロジェクター２１００の内部には、光源装置１が設けられ、駆動装置２００から放電灯５００に交流電流が供給されて、白色光が当該放電灯５００から放出されるとともに、主反射鏡などの光学部材によって図において３時方向に射出する。射出された白色光は、内部に配置された３枚のミラー２１０６及びダイクロイックミラー２１０８、２１０９によってＲ（赤）、Ｇ（緑）、Ｂ（青）の３原色に分離されて、各原色に対応する液晶ライトバルブ１００Ｒ、１００Ｇ及び１００Ｂにそれぞれ入射する。詳細には、ダイクロイックミラー２１０８は、図において９時方向から入射した白色光のうち、Ｒの波長域の光を透過し、残りのＧ、Ｂの波長域の光を６時方向に反射させる。ダイクロイックミラー２１０９は、１２時方向から入射したＧ、Ｂの波長域の光のうち、Ｂの波長域の光を透過し、それ以外のＧの波長域の光を３時方向に反射させる。なお、Ｂは、ＲやＧと比較すると、光路が長いので、その損失を防ぐために、入射レンズ２１２２、リレーレンズ２１２３及び出射レンズ２１２４からなるリレーレンズ系２１２１を介して導かれる。
【００６８】
プロジェクター２１００には、Ｒ、Ｇ、Ｂの各色のそれぞれに対応する映像信号がそれぞれ図示省略した上位回路から供給され、液晶ライトバルブ１００Ｒ、１００Ｇ及び１００Ｂのそれぞれが、Ｒ、Ｇ、Ｂのそれぞれに対応する映像信号によって駆動される。これにより、液晶ライトバルブ１００Ｒ、１００Ｇ、１００Ｂに入射した光は、その透過率が画素毎に変調されて出射することになる。すなわち、液晶ライトバルブ１００Ｒ、１００Ｇ、１００Ｂは、放電灯５００から射出した光を映像信号（画像情報）に基づいて変調する変調装置として機能する。
【００６９】
液晶ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ及びＢの光は９０度に屈折する一方、Ｇの光は直進する。したがって、各色の変調光が合成された後、投射レンズ２１１４によってカラー画像がスクリーン２１２０に投射されることとなる。これらの光学系は、液晶ライトバルブ１００Ｒ、１００Ｇ、１００Ｂによってそれぞれ変調された光を投射する投射装置として機能する。
【００７０】
なお、液晶ライトバルブ１００Ｒ、１００Ｇ及び１００Ｂには、ダイクロイックミラー２１０８によって、Ｒ、Ｇ、Ｂのそれぞれに対応する光が入射するので、直視型のようにカラーフィルターは設けられない。また、液晶ライトバルブ１００Ｒ、１００Ｂの透過像は、ダイクロイックプリズム２１１２により反射した後に投射されるのに対し、液晶ライトバルブ１００Ｇの透過像はそのまま投射されるので、液晶ライトバルブ１００Ｒ、１００Ｂによる水平走査方向は、液晶ライトバルブ１００Ｇによる水平走査方向と逆向きにされて、左右反転像が作成される。
【００７１】
以上のようなプロジェクター２１００において、液晶ライトバルブ１００Ｒ、１００Ｇ、１００Ｂには、本発明の液晶表示装置１００が用いられる。したがって、上下の輝度むらがなく、高画質のプロジェクターを提供することができる。
【００７２】
なお、本発明が適用される電子機器としては、図２０および図２１に例示した機器のほか、携帯情報端末（ＰＤＡ：Ｐｅｒｓｏｎａｌ  Ｄｉｇｉｔａｌ  Ａｓｓｉｓｔａｎｔｓ），デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末，プリンター，スキャナー，複写機，ビデオプレーヤ，タッチパネルを備えた機器等などが挙げられる。
【符号の説明】
【００７３】
１２…液晶表示パネル、１４…制御回路、３０Ｕ，３０Ｌ…画素部、３２…走査線、３４ａ，３４ｂ…データ線、４０Ｕ，４０Ｌ…走査線駆動回路、４４Ｕ，４４Ｌ…データ線駆動回路、６２…画素電極、６４…共通電極、６６…液晶、１００…液晶表示装置。
【図１】
2015087688.tif 000003
【図２】
2015087688.tif 000004
【図３】
2015087688.tif 000005
【図４】
2015087688.tif 000006
【図５】
2015087688.tif 000007
【図６】
2015087688.tif 000008
【図７】
2015087688.tif 000009
【図８】
2015087688.tif 000010
【図９】
2015087688.tif 000011
【図１０】
2015087688.tif 000012
【図１１】
2015087688.tif 000013
【図１２】
2015087688.tif 000014
【図１３】
2015087688.tif 000015
【図１４】
2015087688.tif 000016
【図１５】
2015087688.tif 000017
【図１６】
2015087688.tif 000018
【図１８】
2015087688.tif 000019
【図１９】
2015087688.tif 000020
【図２０】
2015087688.tif 000021
【図２１】
2015087688.tif 000022
【図１７】
2015087688.tif 000023